(57)【要約】【課題】吸収性物品の幅方向中央部に使用面側に隆起した中高部の吸収量を増加することによって経血等の漏れを防止する。【解決手段】透液性の表面シート３と裏面シート２との間に吸収体４が介在された吸収性物品１の幅方向中央部に少なくとも排血部Ｈから尾てい骨部Ｔに至る範囲に亘って使用面側に隆起した中高部Ｎが形成された吸収性物品１において、前記中高部Ｎは、前記表面シート３と吸収体４との間に配置された上層吸収体４Ａと、その下方側に配置された体液伝達シート６とによって構成され、前記上層吸収体４Ａには、前記表面シート３側から多数のエンボス７、７…が付与され、前記体液伝達シート６は、前記エンボス７の付与による前記上層吸収体４Ａの圧縮部分９ａの密度より高密度とされる。【選択図】図２
2010057526.tif 000002
【特許請求の範囲】
【請求項１】
透液性の表面シートと裏面シートとの間に吸収体が介在された幅方向中央部に、少なくとも排血部から臀裂部に至る範囲に亘って使用面側に隆起した中高部が形成された吸収性物品において、
前記中高部は、前記表面シートと吸収体との間に配置された上層吸収体と、該上層吸収体の下面側に配置された体液伝達シートとによって構成され、
前記上層吸収体には、前記表面シート側から多数のエンボスが付与され、
前記体液伝達シートは、前記エンボスの付与による前記上層吸収体の圧縮部分の密度より高密度とされることを特徴とする吸収性物品。
【請求項２】
前記上層吸収体は、幅方向断面視で、略円弧状の膨出形状に形成されるとともに、その内部に前記体液伝達シートが配設され、前記エンボスが前記上層吸収体の全面に亘って付与されている請求項１記載の吸収性物品。
【請求項３】
前記体液伝達シートは、幅方向断面視で、略Ｃ字状又は蛇腹状に折り畳まれて配設されている請求項１、２いずれかに記載の吸収性物品。
【請求項４】
前記上層吸収体は、エアレイドパルプ不織布により構成されている請求項１〜３いずれかに記載の吸収性物品。
【請求項５】
前記上層吸収体には、化学繊維が混合されている請求項１〜４いずれかに記載の吸収性物品。
【請求項６】
前記上層吸収体に付与する各エンボスの形状は、前記吸収性物品の幅方向寸法よりも長手方向寸法の方を長くした形状としてある請求項１〜５いずれかに記載の吸収性物品。
【請求項７】
前記中高部は、平面視で、排血部から臀裂部後側に向けて幅方向に狭くなるように形成されている請求項１〜６いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、詳しくは透液性の表面シートと裏面シートとの間に吸収体が介在され、幅方向中央部に少なくとも排血部から臀裂部にかけた範囲に使用面側に隆起した中高部を有する吸収性物品において、前記中高部の吸収量を増加することにより漏れを防止した吸収性物品に関する。
【背景技術】
【０００２】
従来より、生理用ナプキン、パンティライナー、失禁パッドなどの吸収性物品として、ポリエチレンシートまたはポリエチレンラミネートシート不織布などの不透液性の裏面シートと、不織布または透液性プラスチックシートなどの透液性の表面シートとの間に綿状パルプ等からなる吸収体を介在したものが知られている。
【０００３】
この種の吸収性物品においては、排泄された体液が臀裂部の溝を通じて後漏れを起こすのを防止することなどを目的として、前記吸収性物品の幅方向中央部であって、少なくとも排血部から臀裂部にかけた範囲に使用面側に隆起した上層吸収体を備えたものが市販されている。かかる上層吸収体を備えた吸収性物品においては、臀裂部の溝にフィットさせるようにするために種々の手段が講じられている。
【０００４】
例えば下記特許文献１では、上層吸収体と、該上層吸収体の非肌当接面側に排泄された下層吸収体とを備えた吸収性物品において、前記上層吸収体は、前記下層吸収体と独立して形成され、且つ前記下層吸収体と実質的に非接触状態に配設され、前記下層吸収体に対して幅方向に位相変化自在に表面シートにより被覆されている吸収性物品が開示されている。
【０００５】
また、下記特許文献２では、縦長の本体部と、この本体部の肌側表面に設けられ、縦方向の中心軸に沿って延びる立体部とを備え、吸収体である液吸収層のうちの立体部の下方に位置する領域を、部分的に低密度にすることにより、可撓部が形成されている吸収性物品が開示されている。
【特許文献１】特開平１０−３３５８９号公報
【特許文献２】特開２００７−８９８１８号公報
【発明の開示】
【発明が解決しようとする課題】
【０００６】
しかしながら、上記特許文献１記載の吸収性物品では、上層吸収体が下層吸収体から独立して形成されているため、上層吸収体に吸収された経血等が下層吸収体に移行しにくく、上層吸収体の吸収量に限界がある。また上記特許文献２記載の吸収性物品では、前記立体部が積極的に経血等を吸収する性質のものではないため、臀裂部の溝から横方向に経血等が漏れる場合がある。
【０００７】
また仮に、上層吸収体（立体部）を臀裂部の溝にフィットさせることができても、この上層吸収体での吸収容量が小さければ、経血等の横漏れが生じることとなる。
【０００８】
そこで本発明の主たる課題は、吸収性物品の幅方向中央部に使用面側に隆起した中高部の吸収量を増加することによって経血等の漏れを防止した吸収性物品を提供することにある。
【課題を解決するための手段】
【０００９】
前記課題を解決するために請求項１に係る本発明として、透液性の表面シートと裏面シートとの間に吸収体が介在された幅方向中央部に、少なくとも排血部から臀裂部に至る範囲に亘って使用面側に隆起した中高部が形成された吸収性物品において、
前記中高部は、前記表面シートと吸収体との間に配置された上層吸収体と、該上層吸収体の下面側に配置された体液伝達シートとによって構成され、
前記上層吸収体には、前記表面シート側から多数のエンボスが付与され、
前記体液伝達シートは、前記エンボスの付与による前記上層吸収体の圧縮部分の密度より高密度とされることを特徴とする吸収性物品が提供される。
【００１０】
上記請求項１記載の発明では、前記中高部を構成する上層吸収体に、表面シート側から多数のエンボスが付与されているため、中高部の表面積が増大し、経血等の吸収量を増加することができるようになる。また、エンボス凹部が高密度に圧縮されることにより、上層吸収体に密度勾配が生じ、この密度勾配による毛細管現象によって、上層吸収体に吸収された経血等が下側に拡散しやすくなる。
【００１１】
さらに、前記体液伝達シートは、前記エンボスの付与による上層吸収体の圧縮部分の密度より高密度となっているため、エンボス部に入り込んだ経血等が、素速く上層吸収体に吸収されるとともに、体液伝達シートとの密度勾配に伴う毛細管現象や表面張力によって、体液伝達シートに素速く移行し、その後、上層吸収体に比べて吸収容量が格段に大きな吸収体に吸収保持されるようになる。これにより、見かけ上、中高部からの吸収量が増加するため、経血等の漏れが防止できるようになる。
【００１２】
請求項２に係る本発明として、前記上層吸収体は、幅方向断面視で、略円弧状の膨出形状に形成されるとともに、その内部に前記体液伝達シートが配設され、前記エンボスが前記上層吸収体の全面に亘って付与されている請求項１記載の吸収性物品が提供される。
【００１３】
上記請求項２記載の発明では、前記上層吸収体を、幅方向断面視で、略円弧状の膨出形状に形成するとともに、その内部に前記体液伝達シートを配設し、さらに、エンボスを前記上層吸収体の全面に付与する。前記中高部が略円弧状となって、臀裂部の溝にフィットしやすくなるとともに、この中高部の全表面から経血等を均等に吸収できるようになり、中高部の吸収量が増加する。
【００１４】
請求項３に係る本発明として、前記体液伝達シートは、幅方向断面視で、略Ｃ字状又は蛇腹状に折り畳まれて配設されている請求項１、２いずれかに記載の吸収性物品が提供される。
【００１５】
上記請求項３記載の発明では、前記体液伝達シートを幅方向断面視で、略Ｃ字状又は蛇腹状に折り畳んで配設することにより、上層吸収体にクッション性を付与することができ、中高部を臀裂部の溝にフィットさせやすくなる。
【００１６】
請求項４に係る本発明として、前記上層吸収体は、エアレイドパルプ不織布により構成されている請求項１〜３いずれかに記載の吸収性物品が提供される。
【００１７】
上記請求項４記載の発明では、上層吸収体をエアレイドパルプ不織布により構成することにより、エンボスによる凹部を形成しやすくするとともに、中高部のクッション性を増加させるようになっている。
【００１８】
請求項５に係る本発明として、前記上層吸収体には、化学繊維が混合されている請求項１〜４いずれかに記載の吸収性物品が提供される。
【００１９】
上記請求項５記載の発明は、上層吸収体に化学繊維を混合することにより、熱融着によるエンボスの凹凸を形成しやすくしたものである。
【００２０】
請求項６に係る本発明として、前記上層吸収体に付与する各エンボスの形状は、前記吸収性物品の幅方向寸法よりも長手方向寸法の方を長くした形状としてある請求項１〜５いずれかに記載の吸収性物品が提供される。
【００２１】
上記請求項６記載の発明では、前記上層吸収体に付与する各エンボスの形状を、吸収性物品の幅方向寸法よりも長手方向寸法の方を長くした形状とすることにより、経血等が吸収性物品の長手方向に拡散しやすくなり、横漏れが軽減できるようになる。
【００２２】
請求項７に係る本発明として、前記中高部は、平面視で、排血部から臀裂部後側に向けて幅方向に狭くなるように形成されている請求項１〜６いずれかに記載の吸収性物品が提供される。
【００２３】
上記請求項７記載の発明では、前記中高部を、平面視で、排血部から臀裂部後側に向けて幅方向に狭くなるように形成することにより、中高部を身体にフィットさせることができ、経血等の漏れが防止できるようになる。
【発明の効果】
【００２４】
以上詳説のとおり本発明によれば、吸収性物品の幅方向中央部に使用面側に隆起した中高部の吸収量を増加させることによって経血等の漏れが防止できる。
【発明を実施するための最良の形態】
【００２５】
以下、本発明の実施の形態について図面を参照しながら詳述する。図１は本発明に係る生理用ナプキン１の一部破断展開図であり、図２は図１のII−II線矢視図である。
【００２６】
生理用ナプキン１は、主にはパンティライナー、生理用ナプキン、おりものシート、失禁パッドなどの用途に供されるもので、例えば図１に示されるように、不透液性の裏面シート２と、透液性の表面シート３との間に、吸収体４または同図に示されるように、クレープ紙５によって囲繞された吸収体４が介在されるとともに、前記生理用ナプキン１の幅方向中央部に少なくとも排血部Ｈから臀裂部を経て尾てい骨部Ｔに至る範囲に亘って使用面側に隆起した中高部Ｎが形成されている。
【００２７】
前記中高部Ｎは、表面シート３と吸収体４（下層側吸収体）との間に配置された、上層吸収体４Ａまたは同図に示されるようにクレープ紙５Ａによって囲繞された上層吸収体４Ａと、その下面側に配置された体液伝達シート６とによって構成され、前記上層吸収体４Ａには、前記表面シート３側から多数のエンボスが付与され、前記体液伝達シート６は、前記エンボスの付与による前記上層吸収体４Ａの圧縮部分の密度より高密度とされる。
【００２８】
以下、更に具体的に詳述する。
【００２９】
前記裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００３０】
前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００３１】
前記裏面シート２と表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３２】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３３】
前記上層吸収体４Ａは、前記吸収体４と同様の素材のものを用いることができるが、この上層吸収体４Ａには、後段で詳述するようにエンボスが付与されるため、このエンボスによる凹凸が形成されやすくなるように嵩高のもの用いることが好ましい。嵩高な上層吸収体４Ａとするため、前記上層吸収体４Ａは、エアレイドパルプ不織布により構成することが好ましい。また、上層吸収体４Ａのエンボス付加側（表面シート３側）を、反対側（裏面シート２側）より比較的嵩高に形成すると、表面シート３側にエンボスの凹凸が形成されやすくなるため好ましい。また、前記上層吸収体４Ａには、化学繊維を混合することが好ましい。化学繊維はパルプより熱融着し易いため、化学繊維の混合によりエンボスの凹凸がより確実に形成されやすくなる。ここで、前記化学繊維は、エンボス付加側（表面シート３側）に比較的多く混合することが好ましい。
【００３４】
前記体液伝達シート６としては、レーヨンやキュプラ等の再生繊維、綿等の天然繊維を用いることにより素材自体に親水性を有するものや、ポリエチレンまたはポリプロピレン等のオレフィン系、ポリエステル系、ポリアミド系等の合成繊維を親水化剤によって表面処理し、親水性を付与したものを用いることができる。また、使用中に経血等が複数回排泄された後でも安定的に親水性を維持するため、ポリエチレンまたはポリプロピレン等のオレフィン系、ポリエステル系、ポリアミド系等の合成繊維を公知の耐久親水化剤によって表面処理し、耐久親水性を付与した不織布とすることが望ましい。
【００３５】
かかる体液伝達シート６は、上層吸収体４Ａの下方であって、吸収体４との間に配置されている。
【００３６】
前記上層吸収体４Ａにおいては、図３の拡大断面図に示されるように、表面シート３側から多数のエンボス７、７…が付与されている。これによって、前記上層吸収体４Ａには、凸部８、８…及び凹部９、９…が幅方向に交互に隣接形成されるとともに、前記凹部９により相対的に繊維密度の高い高密度領域９ａが形成されるようになる。
【００３７】
かかるエンボス７、７…を付与することによって、中高部Ｎの表面積が増大するため、経血等の吸収量が増加するようになる。さらに、図３に示されるように、凸部８、８…から上層吸収体４Ａに吸収された体液等は、エンボス７、７…によって生じた上層吸収体４Ａの密度勾配のために下方側に拡散しやすくなる。
【００３８】
一方、前記体液伝達シート６は、前記エンボス７による上層吸収体４Ａに形成された高密度領域９ａより高密度となっている。このため、図３に示されるように、エンボス７による上層吸収体４Ａの凹部９に入り込んだ経血等は、上層吸収体４Ａに吸収された後、その下方に配置された体液伝達シート６との密度勾配に伴う毛細管現象や表面張力によって、体液伝達シート６に素速く移行して、その下層の吸収体４に吸収保持される。このように、中高部Ｎから上層吸収体４Ａに浸透した経血等は、上層吸収体４Ａにも吸収保持されるが、その大部分は密度勾配に伴う毛細管現象や表面張力によって、体液伝達シート６を介して吸収容量が格段に大きな吸収体４に吸収保持されるため、見かけ上、上層吸収体４Ａの吸収量が増加して経血等の漏れが防止できるようになる。
【００３９】
ところで、前記エンボス７、７…は、公知のエンボス付与手段によって付与することができるが、特に熱融着エンボスとすることが好ましい。前記熱融着エンボスを施すには、上層吸収体４Ａの表面側に表面シート３を積層させた状態で、表面側からエンボス装置の凸状部によって圧縮し、圧縮状態で、前記凸状部の先端に設けられた熱溶融や超音波などによる熱融着部によりエンボス底面を熱融着し、エンボス７、７…を形成する。
【００４０】
各エンボス７は、図４に示されるように、生理用ナプキン１の幅方向寸法より長手方向寸法の方が長くなるように形成する。すなわち、各エンボス７のナプキン長手方向の長さＥＬは、ナプキン幅方向の幅ＥＢより長く、ＥＬ＞ＥＢの関係となるようにする。これにより、中高部Ｎ表面を伝う経血等が、エンボス７に入り込みやすくなるとともに、エンボス７に入り込んだ経血等がナプキンの前後方向に拡散するようになるため、経血等の横漏れを軽減できる。
【００４１】
前記エンボス７の付与パターンは、例えば図４に示されるように、エンボスによる凹部を、並列配置した線状（同図(A)）、千鳥配置した間欠線状（同図(B)）、楕円を複数連結した連結楕円状（同図(C)）又は楕円を千鳥配置した間欠楕円状（同図(D)）とすることができる。いずれのエンボスパターンにおいても、上述のＥＬ＞ＥＢの関係が維持されている。
【００４２】
前記上層吸収体４Ａは、幅方向断面に対して略平面状に形成してもよいが、図２に示されるように、幅方向断面視で、略円弧状の膨出形状に形成することが好ましい。このような膨出形状とすることにより、中高部Ｎが臀裂部の溝にフィットしやすくなるとともに、この中高部Ｎの全表面から経血等を吸収することができるようになる。ここで、前記上層吸収体４Ａは、経血等をより吸収し易い構造とするため、図２に示されるように、その肉厚が、相対的に頂部側で厚く、両側部方向に漸次薄くなるように形成してもよい。このとき、前記エンボス７は相対的に頂部側で深く、両側部側で浅く形成してもよい。
【００４３】
前記上層吸収体４Ａを略円弧状の膨出形状に形成した場合、前記体液伝達シート６は、上層吸収体４Ａの内部に配設するのが望ましい。
【００４４】
ここで、前記体液伝達シート６は、図５に示されるように、幅方向断面視で、略Ｃ字状（同図(A)）または蛇腹状（同図(B)）に折り畳んで配設することが好ましい。このように配設することにより、上層吸収体４Ａにクッション性を付与することができ、中高部Ｎを臀裂部の溝にフィットさせやすくなる。
【００４５】
ところで、図１に示されるように、前記中高部Ｎを身体にフィットさせるため、前記中高部Ｎは、平面視で、排血部Ｈから尾てい骨部Ｔに向けて幅方向に狭くなるように形成することが好ましい。図示例では、中高部Ｎが平面視で排血部Ｈから尾てい骨部Ｔに向けて幅方向に直線的に漸次狭くなる略三角形状に形成されているが、これに代えて略台形状に形成したり、曲線的に漸次狭くなるように形成したり、段階的に狭くなるように形成してもよい。
【００４６】
次に、上述の中高部Ｎの形成方法について説明する。先ず、前記上層吸収体４Ａの表面に表面シート３を積層し、所定のパターンで前記エンボス７、７…を付与する。かかるエンボス７、７…を付与した上層吸収体４Ａの下方側に、前記体液伝達シート６を配置し、吸収体４の幅方向中央部に使用面側に隆起した状態で配置する。その後、図６に示されるように、その周囲に表面シート３上からフィットエンボス１０を施すことによって吸収体４に固定して中高部Ｎを形成する。
【図面の簡単な説明】
【００４７】
【図１】生理用ナプキン１の一部破断展開図である。
【図２】そのII−II線矢視図である。
【図３】図２の要部拡大図である。
【図４】(A)〜(D)は、エンボスパターン例の平面図である。
【図５】(A)、(B)は、体液伝達シート６の配設形態例を示す図２の要部拡大図である。
【図６】フィットエンボス１０を施した図１のII−II線矢視図である。
【符号の説明】
【００４８】
１…生理用ナプキン、２…裏面シート、３…表面シート、４…吸収体、４Ａ…上層吸収体、５、５Ａ…クレープ紙、６…体液伝達シート、７…エンボス、８…凸部、９…凹部、Ｈ…排血部、Ｔ…尾てい骨部、Ｎ…中高部
【図１】
2010057526.tif 000003
【図２】
2010057526.tif 000004
【図３】
2010057526.tif 000005
【図４】
2010057526.tif 000006
【図５】
2010057526.tif 000007
【図６】
2010057526.tif 000008